(57)【要約】【課題】アナログ放送停止後にリモコンの操作中に誤ってアナログ放送のキーを押し、そのダイレクトキーを押しても無信号画面に移行することがなく、不使用キーを他目的で有効利用できるテレビジョン受信機を提供することを目的とする。【解決手段】デジタル放送を受信するデジタルチューナと、アナログ放送を受信するアナログチューナと、前記デジタルチューナの出力に基いてデジタル放送の時刻情報を抽出するデジタル受信部と、前記アナログチューナの出力に基いて映像信号または同期信号の有無を判定する回路を含む信号処理部と、前記デジタル受信部の出力がアナログ放送停止予定時刻を経過した旨を示し、かつ前記信号処理部の出力が映像信号および同期信号が無い旨を示す場合にアナログ放送の停止を判定するマイコンと、を備えた構成を有している。【選択図】図１
2007306098.tif 000002
【特許請求の範囲】
【請求項１】
デジタル放送を受信するデジタルチューナと、
アナログ放送を受信するアナログチューナと、
前記デジタルチューナの出力に基いてデジタル放送の時刻情報を抽出するデジタル受信部と、
前記アナログチューナの出力に基いて映像信号または同期信号の有無を判定する回路を含む信号処理部と、
前記デジタル受信部の出力がアナログ放送停止予定時刻を経過した旨を示し、かつ前記信号処理部の出力が映像信号および同期信号が無い旨を示す場合にアナログ放送の停止を判定するマイコンと、
を有するテレビジョン受信機。
【請求項２】
マイコンは、アナログ放送の停止を判定した後に、リモコンのアナログ放送のキーが押し下げられた旨を示すリモコンコードを受信した場合に、アナログ放送のキーが無効またはアナログ放送が停止した旨の表示指令を行う請求項１記載のテレビジョン受信機。
【請求項３】
マイコンは、アナログ放送の停止を判定した後に、リモコンのアナログ放送のキーが押し下げられその後ダイレクトキーが押し下げられた旨を示すリモコンコードを受信した場合に、前記ダイレクトキーに対応するアプリケーションソフトの起動指令を行う請求項１記載のテレビジョン受信機。
【発明の詳細な説明】
【技術分野】
【０００１】
本発明は、近年急速に増えているデジタル放送を受信するテレビジョン受信機に関するものである。
【背景技術】
【０００２】
２０００年１２月からＢＳデジタル放送が始まり順次ＣＳデジタル放送、地上デジタル放送が始まっており、２０１１年には地上アナログ放送が停止する予定である。現在はアナログ放送は２０１１年までほぼデジタル放送と同じ放送のサイマル放送を行っており、それに対応したテレビジョン受信機がある（例えば特許文献１参照。）。
【０００３】
デジタル放送受信機の機能は符号化された映像音声信号を、デジタルチューナで復調し、ＭＰＥＧ２の復号を、映像信号・音声信号としてディスプレイに表示するものであるが、その他の機能としてデータ放送、電子番組表、ＪＰＥＧ表示などの機能がある。
【０００４】
図４はテレビジョン受信機の構成を示すブロック図である。４０１はデジタルチューナ、４０２はデジタル受信部、４０３は信号処理部、４０４は表示部、４０５はアナログチューナ、４０６はマイコン、４０７はリモコン発信部、４０８はリモコン受光部、４０９は第２の制御信号、４１０は第１の制御信号である。
【０００５】
図５はリモコンのキーの配置を示す図である。５１１はアナログ放送キー、５１２はダイレクトキー”１”、５１３はリモコンである。それぞれの放送（以下「ネットワーク」という。）に切り替える場合、リモコン５１３では各ネットワークのキーを押下した後に、そのネットワークのダイレクトキーを押下することで選局する。このダイレクトキーにはあらかじめ専用のリモコンコードが割り当てられており、テレビ側ではマイコン４０６から第１の制御信号４１０によりアナログチューナ４０５を順次チャンネルを走査して後段の信号処理部４０３で同期検出を行い、マイコン４０６にて、各ダイレクトキーがどの放送局かメモリ部４１１に順番に割り当てていく。またはアナログ放送の場合、受信地区が分かっている場合は放送局は予めわかっているのでメモリ部４１１にテーブルを持っておくこともある。デジタル放送のチャンネルの割り当ても同様の考え方で行う。デジタル放送と、アナログ放送の割り当ては別であり、メモリ部４１１には別のアドレスに保管する。
【特許文献１】特開２００５−２２９２４７号公報
【発明の開示】
【発明が解決しようとする課題】
【０００６】
しかしながら上記の従来の構成では、アナログ放送停止後にリモコンの操作中に誤ってアナログ放送キーを押してしまった場合、無信号の画面が現れて目障りであるという問題点を有していた。
【０００７】
また、アナログ放送の停止に伴って、不使用キーが増えて有効利用されていないという問題点を有していた。
【０００８】
本発明は上記従来の問題点を解決するもので、アナログ放送停止後にリモコンの操作中に誤ってアナログ放送のキーを押し、そのダイレクトキーを押しても無信号画面に移行することがなく、不使用キーを他目的で有効利用できるテレビジョン受信機を提供することを目的とする。
【課題を解決するための手段】
【０００９】
この目的を達成するために本発明のテレビジョン受信機は、デジタル放送を受信するデジタルチューナと、アナログ放送を受信するアナログチューナと、前記デジタルチューナの出力に基いてデジタル放送の時刻情報を抽出するデジタル受信部と、前記アナログチューナの出力に基いて映像信号または同期信号の有無を判定する回路を含む信号処理部と、前記デジタル受信部の出力がアナログ放送停止予定時刻を経過した旨を示し、かつ前記信号処理部の出力が映像信号および同期信号が無い旨を示す場合にアナログ放送の停止を判定するマイコンと、を備えた構成を有している。
【００１０】
また、マイコンは、アナログ放送の停止を判定した後に、リモコンのアナログ放送のキーが押し下げられた旨を示すリモコンコードを受信した場合に、アナログ放送のキーが無効またはアナログ放送が停止した旨の表示指令を行う構成を有している。
【００１１】
さらに、マイコンは、アナログ放送の停止を判定した後に、リモコンのアナログ放送のキーが押し下げられその後ダイレクトキーが押し下げられた旨を示すリモコンコードを受信した場合に、前記ダイレクトキーに対応するアプリケーションソフトの起動指令を行う構成を有している。
【発明の効果】
【００１２】
以上のように本発明は、アナログ放送停止後にリモコンの操作中に誤ってアナログ放送のキーを押し、そのダイレクトキーを押しても無信号画面に移行することがなく、不使用キーを他目的で有効利用できるという優れた効果が得られる。
【発明を実施するための最良の形態】
【００１３】
（実施の形態１）
以下本発明について図面を参照しながら説明する。本発明のハードウエア構成においては従来と同じであり図４、図５に基いて説明する。デジタル放送を受信するデジタルテレビとサイマルで放送されているアナログ放送を受信するデジタル受信部４０２と、その切り替えをおこなうリモコン５１３と、切り替えをおこなうマイコン４０６を有し、アナログ受信の映像信号または同期信号の有無を判定する回路を有する信号処理部４０３を有し、デジタルチューナ４０１で受信するデジタル放送の時刻情報とあわせて、マイコン４０６にてアナログ放送の停止を判定し、アナログ放送が停波した時それまでサイマル放送用に設計されたデジタルテレビのリモコンのアナログ放送キー５１１およびそのダイレクトキー（例えばダイレクトキー”１”５１２）が押下げられた場合にアナログのチャンネルのコードを受信したことをマイコン４０６で判定し、無効もしくはアナログ放送が停止したことを信号処理部４０３を通して表示部４０４においてＯＳＤ表示することを特徴とする。
【００１４】
図１は本発明の実施の形態１におけるテレビジョン受信機の動作を示すフローチャートである。アナログチューナ４０５の信号を信号処理部４０３で信号の有無もしくは同期信号の有無を判定しアナログ信号および同期信号がない場合にはアナログ放送の信号を検出しないとし（ステップＳ１０１）、デジタルチューナ１で受信したＢＳもしくは地上デジタルの信号の中にある時刻情報をデジタル受信部４０２で検出し時刻情報が２０１１年以降の場合（ステップＳ１０２）、アナログ放送が停止波していると判定する（ステップＳ１０３）。アナログ放送キー５１１を押下げると（ステップＳ１０４）、アナログ放送のキーを無効にする、またはアナログ放送停止の表示を行う（ステップＳ１０５）。判定は毎日してもよい。
（実施の形態２）
図２は本発明の実施の形態２におけるテレビジョン受信機の動作を示すフローチャートである。実施の形態１と同様の方法でアナログ放送の信号を判定し、停波していると判定した場合に（ステップＳ２０１〜Ｓ２０３）、アナログ放送のキーを押下す（ステップＳ２０４）。アナログ放送から各種切り替えメニューになったことを表示する（ステップＳ２０５）。次にダイレクトキー”１”を押下す（ステップＳ２０６）。マイコン４０６はダイレクトキー”１”のリモコンコードを検出し（ステップＳ２０７）、メモリカードメニューの別のアプリケーションソフトを起動する（ステップＳ２０８）。例えば外部入力、メモリカード操作などを別機能を割り当ててもよい。その割り当てについてあらかじめメニューの中で選べるようにしておいてもよい。
【００１５】
図３は本発明の実施の形態２におけるアナログ放送停波時のリモコンダイレクトキーのアプリケーションソフトの割り当てを示す図である。ダイレクトキー”１”を押下するとメモリカードを起動するソフトが働く。
【産業上の利用可能性】
【００１６】
本発明のテレビジョン受信機は、アナログ放送停止後にリモコンの操作中に誤ってアナログ放送のキーを押し、そのダイレクトキーを押しても無信号画面に移行することがなく、不使用キーを他目的で有効利用できるという優れた効果を有しているため、デジタルテレビ等において有用である。
【図面の簡単な説明】
【００１７】
【図１】本発明の実施の形態１におけるテレビジョン受信機の動作を示すフローチャート
【図２】本発明の実施の形態２におけるテレビジョン受信機の動作を示すフローチャート
【図３】本発明の実施の形態２におけるアナログ放送停波時のリモコンダイレクトキーのアプリケーションソフトの割り当てを示す図
【図４】テレビジョン受信機の構成を示すブロック図
【図５】リモコンのキーの配置を示す図
【符号の説明】
【００１８】
４０１    デジタルチューナ
４０２    デジタル受信部
４０３    信号処理部
４０４    表示部
４０５    アナログチューナ
４０６    マイコン
４０７    リモコン発信部
４０８    リモコン受光部
４０９    第２の制御信号
４１０    第１の制御信号
５１１    アナログ放送キー
５１２    ダイレクトキー”１”
５１３    リモコン
【図１】
2007306098.tif 000003
【図２】
2007306098.tif 000004
【図３】
2007306098.tif 000005
【図４】
2007306098.tif 000006
【図５】
2007306098.tif 000007